(57)【要約】【課題】ピックアップローラ部が待機位置にあるときのピックアップローラ部に対する十分な保持力を確保しつつ、駆動力が与えられた際には確実にピックアップローラ部を下降させることができる原稿搬送装置を提供する。【解決手段】原稿搬送装置は、第１軸７１と、ピックアップローラ５と、第２軸７２と、第２軸７２を中心として回動可能なピックホルダ３と、係合部材６とを備える。ピックホルダ３は、第１の向き９１に回動してピックアップローラ５がシート束から離隔した第１モードと、第２の向き９２に回動してピックアップローラ５が前記シート束を押圧する第２モードとをとりうる。前記第１モードであるときには、係合部材６によって、前記第１モードが維持される。ピックホルダ３が前記第１モードであるときに、第２軸７２が第２の向き９２に回転することによって、係合部材６による係合は解除される。【選択図】図５
2020063147.tif 000002
【特許請求の範囲】
【請求項１】
第１軸と、
前記第１軸によって支持され、前記第１軸のまわりに回転することによって、供給場所に積載されたシート束から１枚ずつシートを繰り出すピックアップローラと、
前記第１軸と平行に配置された第２軸と、
前記第２軸によって支持され、前記第２軸を中心として回動可能に少なくとも前記第１軸およびピックアップローラを支持するピックホルダと、
前記第２軸を第１の向きおよび前記第１の向きとは反対の第２の向きに回転駆動する駆動源と、
前記第２軸の回転を前記第１軸に伝える駆動伝達部と、
前記第１軸の上側に配置された上側部材と、
前記上側部材によって支持され、前記ピックホルダまたは前記第１軸と係合可能な係合部材とを備え、
前記ピックホルダは、前記ピックホルダが前記第２軸のまわりに前記第１の向きに回動して前記ピックアップローラが前記シート束から離隔した第１モードと、前記ピックホルダが前記第２軸のまわりに前記第２の向きに回動して前記ピックアップローラが前記シート束を押圧する第２モードとをとることが可能であり、
前記ピックホルダが前記第１モードであるときには、前記第２軸の前記第１の向きの回転の伝達の有無にかかわらず、前記係合部材が前記ピックホルダまたは前記第１軸と係合することによって、前記第１モードが維持され、
さらに、
前記ピックホルダが前記第１モードであるときに、前記第２軸が前記第２の向きに回転することによって、前記係合部材の、前記ピックホルダまたは前記第１軸に対する係合を解除する係合解除部を備える、原稿搬送装置。
【請求項２】
前記係合部材は、前記ピックホルダまたは前記第１軸に係合する向きに付勢されている、請求項１に記載の原稿搬送装置。
【請求項３】
前記係合解除部は、前記第１軸と共に回転するように前記第１軸に固定されたカムを含み、
前記カムは、前記第１軸の中心からの外周までの距離が第１半径であるカム第１部分と、前記第１軸の中心から外周までの距離が前記第１半径より長い第２半径であるカム第２部分とを含み、
前記第１軸の回転によって前記カム第２部分が前記上側部材に接触し、前記カムがさらに回転を続けることによって前記第１軸は前記上側部材から遠ざけられる、請求項１または２に記載の原稿搬送装置。
【請求項４】
前記上側部材は、前記カムの上側に、前記カムに接近するように配置された突起を備え、前記第１軸の回転によって前記カム第２部分が上側にきたときには前記カム第２部分は前記突起に接触する、請求項３に記載の原稿搬送装置。
【請求項５】
前記カムは、前記第１軸に対して回転方向における遊びを有する状態で、前記第１軸によって保持されている、請求項３または４に記載の原稿搬送装置。
【請求項６】
前記カムは、前記カムが前記第１軸のまわりに自由に回転可能なように支持されたときに、前記カム第２部分が前記上側部材を押さない姿勢で安定するような位置におもりを備える、請求項５に記載の原稿搬送装置。
【請求項７】
前記係合解除部は、前記第１軸と共に回転するように前記第１軸に固定されたカムを含み、
前記カムは、前記第１軸の中心からの外周までの距離が第１半径であるカム第１部分と、前記第１軸の中心から外周までの距離が前記第１半径より長い第２半径であるカム第２部分とを含み、
前記第１軸の回転によって前記カム第２部分が前記係合部材に接触し、前記カムがさらに回転を続けて前記係合部材が押されることによって、前記係合部材の、前記ピックホルダまたは前記第１軸に対する係合が解除される、請求項１または２に記載の原稿搬送装置。
【請求項８】
前記カムは、前記第１軸に対して回転方向における遊びを有する状態で、前記第１軸によって保持されている、請求項７に記載の原稿搬送装置。
【請求項９】
前記カムは、前記カムが前記第１軸のまわりに自由に回転可能なように支持されたときに、前記カム第２部分が前記係合部材を押さない姿勢で安定するような位置におもりを備える、請求項８に記載の原稿搬送装置。
【請求項１０】
請求項１から９のいずれか１項に記載の原稿搬送装置を備える、画像形成装置。
【発明の詳細な説明】
【技術分野】
【０００１】
本発明は、原稿搬送装置およびこれを備える画像形成装置に関するものである。
【背景技術】
【０００２】
シート供給機構および自動原稿搬送装置の一例が、特開２０１２−１７１９０号公報（特許文献１）に記載されている。
【０００３】
自動原稿搬送装置などのように、積載された複数のシート状の原稿から１枚ずつ取り出して給紙または搬送する装置においては、複数枚のシートを順に給紙する場合であっても、給紙されるシート同士の間に適切な間隔をあける必要がある。そのような間隔をあけるために、電磁クラッチなどを用いて、各シートを給紙した後には一定時間だけモータからの駆動伝達を停止するという制御が行なわれる。このような理由から給紙駆動部に電磁クラッチが用いられている構成では、待機時には、たとえ電磁クラッチがＯＦＦの状態であってもピックアップローラ部を待機位置に保持することが求められる。そのために、電磁クラッチがＯＦＦの状態であっても、ピックアップローラ部にレバーを係合させることによってピックアップローラ部を待機位置に保持する構成が知られている。
【先行技術文献】
【特許文献】
【０００４】
【特許文献１】特開２０１２−１７１９０号公報
【発明の概要】
【発明が解決しようとする課題】
【０００５】
レバーなどによってピックアップローラ部を待機位置に保持する場合、装置全体に小さな衝撃が加わってもピックアップローラ部が落下しない程度の保持力が必要となる。給紙部内のトルクリミッタでピックアップローラの圧接力を出す構成の場合、電磁クラッチをＯＮの状態にしてピックアップローラ部を下降させようとしてもトルクリミッタが滑ってレバーによる保持が解除できないおそれがある。
【０００６】
そこで、本発明は、ピックアップローラ部が待機位置にあるときのピックアップローラ部に対する十分な保持力を確保しつつ、駆動力が与えられた際には確実にピックアップローラ部を下降させることができる原稿搬送装置およびこれを備える画像形成装置を提供することを目的とする。
【課題を解決するための手段】
【０００７】
上記目的を達成するため、本発明に基づく原稿搬送装置は、第１軸と、上記第１軸によって支持され、上記第１軸のまわりに回転することによって、供給場所に積載されたシート束から１枚ずつシートを繰り出すピックアップローラと、上記第１軸と平行に配置された第２軸と、上記第２軸によって支持され、上記第２軸を中心として回動可能に少なくとも上記第１軸およびピックアップローラを支持するピックホルダと、上記第２軸を第１の向きおよび上記第１の向きとは反対の第２の向きに回転駆動する駆動源と、上記第２軸の回転を上記第１軸に伝える駆動伝達部と、上記第１軸の上側に配置された上側部材と、上記上側部材によって支持され、上記ピックホルダまたは上記第１軸と係合可能な係合部材とを備える。上記ピックホルダは、上記ピックホルダが上記第２軸のまわりに上記第１の向きに回動して上記ピックアップローラが上記シート束から離隔した第１モードと、上記ピックホルダが上記第２軸のまわりに上記第２の向きに回動して上記ピックアップローラが上記シート束を押圧する第２モードとをとることが可能である。上記ピックホルダが上記第１モードであるときには、上記第２軸の上記第１の向きの回転の伝達の有無にかかわらず、上記係合部材が上記ピックホルダまたは上記第１軸と係合することによって、上記第１モードが維持される。この原稿搬送装置は、さらに、上記ピックホルダが上記第１モードであるときに、上記第２軸が上記第２の向きに回転することによって、上記係合部材の、上記ピックホルダまたは上記第１軸に対する係合を解除する係合解除部を備える。
【発明の効果】
【０００８】
本発明によれば、第２軸７２にどちら向きの回転を伝えるかによって、第１モードと第２モードとを容易に切り替えることができるので、ピックアップローラ部が待機位置にあるときのピックアップローラ部に対する十分な保持力を確保しつつ、駆動力が与えられた際には確実にピックアップローラ部を下降させることができる。
【図面の簡単な説明】
【０００９】
【図１】本発明に基づく実施の形態１における画像形成装置の斜視図である。
【図２】本発明に基づく実施の形態１における原稿搬送装置の断面図である。
【図３】本発明に基づく実施の形態１における原稿搬送装置のピックホルダおよびその周辺の第１の説明図である。
【図４】本発明に基づく実施の形態１における原稿搬送装置のピックホルダおよびその周辺の第２の説明図である。
【図５】本発明に基づく実施の形態１における原稿搬送装置のピックホルダおよびその周辺のさらに広い範囲の説明図である。
【図６】本発明に基づく実施の形態１における原稿搬送装置の第１モードでのピックホルダ周辺の側面図である。
【図７】本発明に基づく実施の形態１における原稿搬送装置の係合部材およびその周辺の説明図である。
【図８】本発明に基づく実施の形態１における原稿搬送装置の一部をなす構造物の下面図である。
【図９】図８におけるＩＸ−ＩＸ線に関する矢視断面図である。
【図１０】図８におけるＸ−Ｘ線に関する矢視断面図である。
【図１１】本発明に基づく実施の形態１における原稿搬送装置の係合解除部の働きについての第１の説明図である。
【図１２】本発明に基づく実施の形態１における原稿搬送装置の係合解除部の働きについての第２の説明図である。
【図１３】本発明に基づく実施の形態１における原稿搬送装置の係合解除部に含まれるカムの平面図である。
【図１４】本発明に基づく実施の形態１における原稿搬送装置のピックホルダおよびその周辺の構造を斜め下から見た図である。
【図１５】本発明に基づく実施の形態１における原稿搬送装置のカムおよびその近傍の斜視図である。
【図１６】本発明に基づく実施の形態２における原稿搬送装置の概念図である。
【図１７】本発明に基づく実施の形態２における原稿搬送装置のカムおよびその周辺の側面図である。
【図１８】本発明に基づく実施の形態２における原稿搬送装置のカムが係合部材を押す様子の説明図である。
【図１９】本発明に基づく実施の形態２における原稿搬送装置のカムおよびその周辺の斜視図である。
【発明を実施するための形態】
【００１０】
（実施の形態１）
（構成）
図１〜図１５を参照して、本発明に基づく実施の形態１における画像形成装置および原稿搬送装置について説明する。
【００１１】
本実施の形態における画像形成装置を図１に示す。画像形成装置８０１は、画像形成装置本体２０１と、操作部２５１と、原稿搬送装置１０１とを備える。原稿搬送装置１０１は、供給トレイ８１と排出トレイ８２と上側部材４とを備える。原稿搬送装置１０１の詳細は後述する。
【００１２】
本実施の形態における原稿搬送装置１０１の断面図を図２に示す。原稿搬送装置１０１は、第１軸７１と、第２軸７２と、ピックホルダ３とを備える。ピックホルダ３は第２軸７２によって支持されており、第２軸７２を中心として回動可能である。第１軸７１にはピックアップローラ５が固定されている。第１軸７１が回転すればピックアップローラ５も回転する。第２軸７２には給紙ローラ２６が固定されている。第２軸７２が回転すれば給紙ローラ２６も回転する。ピックホルダ３よりも下流側には通路１が設けられている。
【００１３】
ピックホルダ３およびその周辺を拡大したところを図３に示す。図３では、説明の便宜のため、供給トレイ８１にシート束２０が置かれている状態を示している。シート束２０は複数のシート２を積み重ねたものである。シート２は原稿であってよい。シート２はたとえば紙であってよい。図３では、ピックホルダ３は、第１の向き９１に回動したことによって、ピックアップローラ５がシート束２０に接触しない状態となっている。この状態を「第１モード」という。もうひとつのモードを図４に示す。図４では、ピックホルダ３は、第２の向き９２に回動したことによって、ピックアップローラ５がシート束２０に接触して押圧する状態となっている。この状態を「第２モード」という。
【００１４】
ピックホルダ３の周辺のさらに広い範囲の構成要素を図５に示す。駆動源１０はモータであってよい。駆動源１０は駆動伝達部２１および電磁クラッチ２２を介して第２軸７２に回転を伝える。電磁クラッチ２２は、回転駆動を連結したり遮断したりすることができる。第２軸７２に伝わった回転は、駆動伝達部１１を介してさらに第１軸７１に伝わる。ただし、第２軸７２には第１トルクリミッタ２３および第２トルクリミッタ２４が設けられていて、矢印９１ｅ，９２ｅのいずれの向きの回転についてもトルクが一定以上になると滑るようになっている。
【００１５】
駆動源１０の回転軸が矢印９１ｅの向きに回転し、なおかつ、電磁クラッチ２２がＯＮになったときには、第２軸７２は第１の向き９１に回転する。すなわち、ピックアップローラ５が上昇する。こうして図３に示す状態に至る。ピックアップローラ５が上昇した結果、上側部材４に当接したときには、第１トルクリミッタ２３が滑るようになり、ピックアップローラ５はそれ以上上昇しなくなる。
【００１６】
逆に、駆動源１０の回転軸が矢印９２ｅの向きに回転し、なおかつ、電磁クラッチ２２がＯＮになったときには、第２軸７２は第２の向き９２に回転する。すなわち、ピックアップローラ５が下降する。こうして図４に示す状態に至る。図４に示すように、ピックアップローラ５がシート束２０に押し当てられたときには、第２トルクリミッタ２４が滑るようになり、ピックアップローラ５はそれ以上下降しなくなる。
【００１７】
ピックアップローラ５が上昇した状態、すなわち第１モードの側面図を図６に示す。図６は、図５における矢印９０の向きに見たところである。上側部材４には軸６ｃとして突起が横向きに設けられている。係合部材６は上端にＣ字形部を備える。軸６ｃとしての突起を係合部材６のＣ字形部が取り囲むことによって、係合部材６が上側部材４に対して取り付けられている。係合部材６は軸６ｃを中心として一定角度の範囲内で回動可能である。係合部材６はバネ１２によって付勢されている。
【００１８】
係合部材６の先端部およびその近傍を拡大したところを図７に示す。係合部材６は、爪部６ａを含む。爪部６ａは面６ｂを有する。係合部材６は、バネ１２により矢印９５の向きに付勢されている。図７に示した状態では、ピックホルダ３の突起３ａが、係合部材６の面６ｂに載っている。これにより、ピックホルダ３の第１モードが維持されている。
【００１９】
上側部材４とピックホルダ３とを組み合わせた状態の構造物を下から見たところを図８に示す。図８におけるＩＸ−ＩＸ線に関する矢視断面図を図９に示す。図８におけるＸ−Ｘ線に関する矢視断面図を図１０に示す。
【００２０】
図１１に示すように、係合解除部１８が設けられている。係合解除部１８の働きについては後述する。
【００２１】
原稿搬送装置１０１の構成を整理すると、以下のように表現することができる。
原稿搬送装置１０１は、第１軸７１と、第１軸７１によって支持され、第１軸７１のまわりに回転することによって、供給場所に積載されたシート束２０から１枚ずつシートを繰り出すピックアップローラ５と、第１軸７１と平行に配置された第２軸７２と、第２軸７２によって支持され、第２軸７２を中心として回動可能に少なくとも第１軸７１およびピックアップローラ５を支持するピックホルダ３と、第２軸７２を第１の向き９１および第１の向き９１とは反対の第２の向き９２に回転駆動する駆動源１０と、第２軸７２の回転を第１軸７１に伝える駆動伝達部１１と、第１軸７１の上側に配置された上側部材４と、上側部材４によって支持され、ピックホルダ３または第１軸７１と係合可能な係合部材６とを備える。ピックホルダ３は、ピックホルダ３が第２軸７２のまわりに第１の向き９１に回動してピックアップローラ５がシート束２０から離隔した第１モードと、ピックホルダ３が第２軸７２のまわりに第２の向き９２に回動してピックアップローラ５がシート束２０を押圧する第２モードとをとることが可能である。ピックホルダ３が前記第１モードであるときには、第２軸７２の第１の向き９１の回転の伝達の有無にかかわらず、係合部材６がピックホルダ３または第１軸７１と係合することによって、前記第１モードが維持される。原稿搬送装置１０１は、さらに、ピックホルダ３が前記第１モードであるときに、第２軸７２が第２の向き９２に回転することによって、係合部材６の、ピックホルダ３または第１軸７１に対する係合を解除する係合解除部１８を備える。
【００２２】
原稿搬送装置１０１における係合解除部１８の働きについて説明する。図１１に示すように、係合解除部１８は、突起１４と、カム１３とを含む。突起１４は、上側部材４の一部である。図１１に示すように、カム１３は、カム第１部分１３ａとカム第２部分１３ｂとを含む。第２軸７２が第２の向き９２に回転することにより、この回転は駆動伝達部１１を介して第１軸７１に伝わり、第１軸７１も回転する。この回転により、カム１３は矢印９６に示すように回転する。図１１に示す状態からカム１３が矢印９６に示すように回転することによって、図１２に示す状態となる。すなわち、カム第２部分１３ｂが上側となり、突起１４に当接する。そのままカム１３が矢印９６の向きに回転を続けることにより、カム１３が突起１４を押し上げる。突起１４は上側部材４の一部であるので、突起１４が押し上げられることにより、上側部材４が押し上げられる。上側部材４が押し上げられることにより、係合部材６が上向きに変位するので、図７に示すように係合部材６の面６ｂに載っていた突起３ａは面６ｂから滑り落ちようとする。このとき、バネ１２による矢印９５の向きの付勢に打ち勝つようにして、係合部材６の爪部６ａは図７における左側に変位する。その結果、突起３ａは面６ｂから離脱する。すなわち、係合部材６による突起３ａの保持は終了する。言い換えれば、係合部材６による係合が解除される。
【００２３】
このような動作が行なわれるために、カム１３は、図１３に示すように、半径がＲ１であるカム第１部分１３ａと、外側に向かって突出するカム第２部分１３ｂとを備える。カム第２部分１３ｂにおける最大半径はＲ２である。ここで示すカム１３の形状は、あくまで一例であって、この通りの形状に限定されない。
【００２４】
ピックホルダ３およびその周辺の構造を斜め下から見たところを図１４に示す。図１４においては、駆動源１０は模式的に表示されている。
【００２５】
カム１３およびその近傍の様子を拡大したところを図１５に示す。カム１３は、カム第１部分１３ａとカム第２部分１３ｂとおもり１３ｄとを備える。カム１３は、ピン１６によって第１軸７１に留められている。ピン１６は第１軸７１を貫通している。ここで例示したカム１３では、おもり１３ｄは他の部分に比べて厚みを増した形状となっている。厚みを増したことによって当該部分が重くなっている。おもりの形成方法はこれに限らない。おもりを形成するためには、厚みを増す代わりに、他の部分の材質に比べて比重が大きい材質の部材を取り付けてもよい。おもりを形成するためには、カムの外形を変えることなく、他の部分の材質に比べて比重が大きい材質の部材をカムの内部に埋め込んでもよい。
【００２６】
（作用・効果）
本実施の形態では、ピックホルダ３が第１モードであるときに、係合部材６の働きにより第１モードを維持することができ、原稿搬送装置１０１は第２軸７２が第２の向き９２に回転することによって係合部材６の係合を解除する係合解除部１８を備えているので、第２軸７２にどちら向きの回転を伝えるかによって、第１モードと第２モードとを容易に切り替えることができる。言い換えれば、ピックアップローラ部が待機位置にあるときのピックアップローラ部に対する十分な保持力を確保しつつ、駆動力が与えられた際には確実にピックアップローラ部を下降させることができる。ピックアップローラ部はピックホルダ３に対応する。
【００２７】
本実施の形態で示したように、係合部材６は、ピックホルダ３または第１軸７１に係合する向きに付勢されていることが好ましい。このように付勢されていることにより、係合部材６の係合が円滑に行なえるようになる。
【００２８】
本実施の形態で示したように、係合解除部１８は、第１軸７１と共に回転するように第１軸７１に固定されたカム１３を含み、カム１３は、第１軸７１の中心からの外周までの距離が第１半径Ｒ１であるカム第１部分１３ａと、第１軸７１の中心から外周までの距離が第１半径Ｒ１より長い第２半径Ｒ２であるカム第２部分１３ｂとを含み、第１軸７１の回転によってカム第２部分１３ｂが上側部材４に接触し、カム１３がさらに回転を続けることによって第１軸７１は上側部材４から遠ざけられることが好ましい。この構成を採用することにより、簡単な構造で係合解除部を実現することができる。
【００２９】
本実施の形態で示したように、上側部材４は、カム１３の上側に、カム１３に接近するように配置された突起１４を備え、第１軸７１の回転によってカム第２部分１３ｂが上側にきたときにはカム第２部分１３ｂは突起１４に接触することが好ましい。このような突起１４が設けられていることにより、カム第２部分１３ｂが接触しやすくなる。また、カム第２部分１３ｂが上側部材４のどの部分に接触するのかが明確となる。
【００３０】
カム１３は、第１軸７１に対して回転方向における遊びを有する状態で、第１軸７１によって保持されていることが好ましい。回転方向における遊びを有する状態とは、若干の角度の範囲内で自由に回転しうる状態を意味する。
【００３１】
本実施の形態で示したように、カム１３は、カム１３が第１軸７１のまわりに自由に回転可能なように支持されたときに、カム第２部分１３ｂが上側部材４を押さない姿勢で安定するような位置におもり１３ｄを備えることが好ましい。この構成を採用することにより、おもり１３ｄの働きによってカム第２部分１３ｂと上側部材４との無用の接触を回避することができる。カム１３は、多少の自由な回転が許されている状況では、おもり１３ｄがなるべく下側になるような姿勢になって安定する。たとえばおもり１３ｄが真下にくるような姿勢となる。この安定姿勢においては、カム第２部分１３ｂが上側部材４を押さない姿勢となるので、カム第２部分１３ｂから上側部材４に対する無用の押圧を避けることができる。たとえばおもり１３ｄは、カム第２部分１３ｂと同じ側に配置されてもよい。おもり１３ｄは、カム第２部分１３ｂとなす角度が１８０°以外の角度となるように配置されればよい。たとえばカム１３の回転方向の遊びによっておもり１３ｄが真下にくることが可能である場合には、おもり１３ｄが真下にきたときにカム第２部分１３ｂが真上以外の側に位置することによって、カム第２部分１３ｂと上側部材４との無用の接触を回避することができる。
【００３２】
（実施の形態２）
（構成）
図１６〜図１９を参照して、本発明に基づく実施の形態２における原稿搬送装置について説明する。本実施の形態における原稿搬送装置の構成は、基本的には実施の形態１で説明したものと同様であるが、以下の点で異なる。
【００３３】
本実施の形態における原稿搬送装置の構造を図１６に示す。図１６における矢印９４の向きに見たところを図１７に示す。ただし、図１７では、説明に関係する構成要素のみを図示している。
【００３４】
本実施の形態における原稿搬送装置では、係合解除部は、第１軸７１と共に回転するように第１軸７１に固定されたカム１３ｉを含む。カム１３ｉは、第１軸７１の中心からの外周までの距離が第１半径であるカム第１部分１３ｉａと、第１軸７１の中心から外周までの距離が前記第１半径より長い第２半径であるカム第２部分１３ｉｂとを含む。第１軸７１の回転によってカム第２部分１３ｉｂが係合部材６ｉに接触し、カム１３ｉがさらに回転を続けて係合部材６ｉが押されることによって、係合部材６ｉの、ピックホルダ３または第１軸７１に対する係合が解除される。
【００３５】
係合部材６ｉは、軸６ｉｃを中心に回動可能に保持されている。軸６ｉｃは上側部材４に固定されている。係合部材６ｉは、バネ１２によって付勢されている。係合部材６ｉは、爪部６ｉａを備える。図１７に示す状態では、爪部６ｉａはピックホルダ３の突起３ａに係合している。ピックホルダ３の突起３ａが爪部６ｉａによって支持されているので、ピックホルダ３は上昇した位置すなわち第１モードを維持する。
【００３６】
図１７において、第１軸７１が回転することによってカム１３ｉが回転した状態を図１８に示す。図１８では、カム１３ｉが矢印９６の向きに回転することによりカム第２部分１３ｉｂが係合部材６ｉを押している。図１９に示すように、係合部材６ｉは板状である。カム第２部分１３ｉｂが係合部材６ｉを押すことにより、図１８に示すように、係合部材６ｉの爪部６ｉａは突起３ａから外れる。突起３ａは爪部６ｉａに支持されない状態となるので、ピックホルダ３は下降可能となる。ピックホルダ３は、下降することにより第２モードとなる。
【００３７】
（作用・効果）
本実施の形態においても、実施の形態１で説明したのと同様の効果を得ることができる。
【００３８】
カム１３ｉは、第１軸７１に対して回転方向における遊びを有する状態で、第１軸７１によって保持されていることが好ましい。
【００３９】
カム１３ｉは、カム１３ｉが第１軸７１のまわりに自由に回転可能なように支持されたときに、カム第２部分１３ｉｂが係合部材６ｉを押さない姿勢で安定するような位置におもり１３ｉｄを備えることが好ましい。この構成を採用することにより、おもり１３ｉｄの働きによってカム第２部分１３ｉｂと上側部材４との無用の接触を回避することができる。おもり１３ｉｄは、図１７において紙面手前側に突出するように形成されていてもよい。図１９では、おもり１３ｉｄが手前に突出していることが示されている。
【００４０】
本発明に基づく画像形成装置は、上述のいずれかの実施の形態で説明した原稿搬送装置を備える。たとえば図１に示した画像形成装置８０１もその一例である。
【００４１】
なお、上記実施の形態のうち複数を適宜組み合わせて採用してもよい。
なお、今回開示した上記実施の形態はすべての点で例示であって制限的なものではない。本発明の範囲は特許請求の範囲によって示され、特許請求の範囲と均等の意味および範囲内でのすべての変更を含むものである。
【符号の説明】
【００４２】
１  通路、２  シート、３  ピックホルダ、３ａ  突起、４  上側部材、５  ピックアップローラ、６，６ｉ  係合部材、６ａ，６ｉａ  爪部、６ｂ  面、６ｃ，６ｉｃ  軸、１０  駆動源、１１，２１  駆動伝達部、１２  バネ、１３，１３ｉ  カム、１３ａ，１３ｉａ  カム第１部分、１３ｂ，１３ｉｂ  カム第２部分、１３ｄ，１３ｉｄ  おもり、１４  突起、１６  ピン、１８  係合解除部、２０  シート束、２２  電磁クラッチ、２３  第１トルクリミッタ、２４  第２トルクリミッタ、２６  給紙ローラ、７１  第１軸、７２  第２軸、８１  供給トレイ、８２  排出トレイ、９０，９４  （見る向きを示す）矢印、９１  第１の向き、９１ｅ，９１ｆ，９２ｅ，９６  矢印、９２  第２の向き、９５  （付勢の向きを示す）矢印、１０１  原稿搬送装置、２０１  画像形成装置本体、２５１  操作部、８０１  画像形成装置。
【図１】
2020063147.tif 000003
【図２】
2020063147.tif 000004
【図３】
2020063147.tif 000005
【図４】
2020063147.tif 000006
【図５】
2020063147.tif 000007
【図６】
2020063147.tif 000008
【図７】
2020063147.tif 000009
【図８】
2020063147.tif 000010
【図９】
2020063147.tif 000011
【図１０】
2020063147.tif 000012
【図１１】
2020063147.tif 000013
【図１２】
2020063147.tif 000014
【図１３】
2020063147.tif 000015
【図１４】
2020063147.tif 000016
【図１５】
2020063147.tif 000017
【図１６】
2020063147.tif 000018
【図１７】
2020063147.tif 000019
【図１８】
2020063147.tif 000020
【図１９】
2020063147.tif 000021